【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
客室の内壁を形成する複数の内装パネルと、
前記内装パネルを支持する支持手段と、を備え、
前記内装パネルは、２枚の金属板と当該２枚の金属板の間に配置される非発泡の樹脂層とを含む複合材板を有する、鉄道車両の内装構造。
【請求項２】
前記２枚の金属板は、それぞれ厚さ０.１〜１.０ｍｍのアルミニウム製の板またはアルミニウム合金製の板であり、前記複合材板の厚さは２〜１０ｍｍである、請求項１に記載の鉄道車両の内装構造。
【請求項３】
前記支持手段は、
前記内装パネルと車両本体を連結する支持部材と、
当該支持部材を前記内装パネルに固定する固定部材とを有し、
前記固定部材は、前記支持部材を貫通して、前記内装パネルのうち前記客室と反対側の面から前記内装パネルに挿入され、先端が前記樹脂層内に位置している、請求項１に記載の鉄道車両の内装構造。
【請求項４】
前記支持部材は、
隣接する第１内装パネルと第２内装パネルの境界に配置され、
前記第１内装パネルに取り付けられる第１支持部材と、
前記第１支持部材と前記第２内装パネルとに取り付けられる第２支持部材とをさらに有する、請求項３に記載の鉄道車両の内装構造。
【請求項５】
前記支持手段は、前記支持部材を前記車両本体に固定する固定ボルトを有し、
前記第１支持部材には前記固定ボルトが貫通する第１挿通孔が形成されており、
前記第２支持部材には前記固定ボルトが貫通する第２挿通孔が形成されており、
前記第１挿通孔と前記第２挿通孔は、前記第１支持部材と前記第２支持部材を所定の相対位置で組み合わせたとき、同一軸上に位置する、請求項４に記載の鉄道車両の内装構造。
【請求項６】
前記第１内装パネルと前記第２内装パネルとの間には隙間が形成され、
前記隙間の大きさは、少なくとも、前記第１挿通孔及び前記第２挿通孔よりも大きい、請求項５に記載の鉄道車両の内装構造。
【請求項７】
前記第１支持部材は、前記車両本体に固定され、さらに第１係止部を有し、
前記第２支持部材は、前記第１係止部に係止可能な第２係止部を有し、
前記第１支持部材と前記第２支持部材とは、前記第２係止部が前記第１係止部に挿入されることにより固定される、請求項４に記載の鉄道車両の内装構造。
【請求項８】
前記第１係止部は、前記第２係止部側に向かって開口する溝形状を有し、
前記第２係止部は、前記第１係止部側に向かって突出する突起形状を有する、請求項７に記載の鉄道車両の内装構造。
【請求項９】
前記内装パネルを補強する補強部材と、前記補強部材を前記内装パネルに固定する固定部材と、を有する補強手段をさらに備え、
前記固定部材は、前記補強部材を貫通して、前記内装パネルのうち前記客室と反対側の面から前記内装パネルに挿入され、先端が前記樹脂層に位置している、請求項１に記載の鉄道車両の内装構造。
【請求項１０】
前記第１内装パネルと前記第２内装パネルとの間に形成された隙間を前記客室側から覆うカバー部材と、前記カバー部材を前記第１及び第２内装パネルに固定する固定部材とを有するカバー手段とをさらに備え、
前記カバー部材は、
前記内装パネルの客室側に位置するカバー部と、
前記カバー部に連結されて前記内装パネルの客室側とは反対側に位置する取付部とを有し、
前記固定部材は、
前記取付部を貫通して、前記内装パネルのうち前記客室と反対側の面から前記内装パネルに挿入され、その先端が前記樹脂層に位置している、請求項９に記載の鉄道車両の内装構造。
【請求項１１】
前記支持手段が、前記内装パネルと前記車両本体の間に位置する面ファスナーである、
請求項１に記載の鉄道車両の内装構造。
【手続補正２】
【補正対象書類名】明細書
【補正対象項目名】００１０
【補正方法】変更
【補正の内容】
【００１０】
本発明に係る内装構造は、客室の内壁を形成する複数の内装パネルと、前記内装パネルを支持する支持手段と、を備え、前記内装パネルは、２枚の金属板と当該２枚の金属板の間に配置される非発泡の樹脂層とを含む複合材板を有する。
【手続補正３】
【補正対象書類名】明細書
【補正対象項目名】００１４
【補正方法】変更
【補正の内容】
【００１４】
さらに、前記支持手段は、前記内装パネルと車両本体を連結する支持部材と、当該支持部材を前記内装パネルに固定する固定部材とを有し、前記固定部材は、前記支持部材を貫通して、前記内装パネルのうち前記客室と反対側の面から前記内装パネルに挿入され、先端が前記樹脂層内に位置していることが好ましい。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
さらに、前記支持部材は、隣接する第１内装パネルと第２内装パネルの境界に配置され、
前記第１内装パネルに取り付けられる第１支持部材と、前記第１支持部材と前記第２内装パネルとに取り付けられる第２支持部材とをさらに有してもよい。
またさらに、前記第１支持部材は、前記車両本体に固定され、さらに第１係止部を有し、
前記第２支持部材は、前記第１係止部に係止可能な第２係止部を有し、前記第１支持部材と前記第２支持部材とは、前記第２係止部が前記第１係止部に挿入されることにより固定されてもよい。
また、前記第１係止部は、前記第２係止部側に向かって開口する溝形状を有し、前記第２係止部は、前記第１係止部側に向かって突出する突起形状を有してもよい。
図４（ａ）にはそのような例を示している。すなわち、１の支持用金具３１に取付け溝３１ｃを形成しておき、隣接する他の複合板１Ｅの端部付近の支持用金具３３の一部をその取付け溝３１ｃに挿入する。他の複合板１Ｅについての他方（図の右方）の端部付近の支持用金具（図示せず）は、図示左方の複合板１Ｄ用の支持用金具３１と同様にネジで車体に取り付けることとし、同様の取付け溝を形成しておくとよい。
【手続補正７】
【補正対象書類名】明細書
【補正対象項目名】００３３
【補正方法】変更
【補正の内容】
【００３３】
図２（ａ）・（ｂ）の例で使用する支持用金具１２は、略Ｚ字型の２つの支持用金具（第１支持部材、第２支持部材）から構成され、それぞれネジ１３の挿通孔を有し、手前両側にブラインドリベット１１の装着孔を有するものである。隣接する複合板１を、当該装着孔を利用して図示のとおり多少の隙間をあけて支持用金具１２に固定すると、つぎにその隙間から支持用金具１２の挿通孔にネジ１３を差し入れて車体部材Ｆ１・Ｆ２・Ｆ６への取り付けを行う。ネジ１３の締め付けが完了すると、スポンジ等の柔軟な充填部材１４を上記隙間に詰め込んでその隙間を隠すのがよい。なお、複合板１のいずれかに直角の（またはそれに近い）コーナー部がある場合には、図示のように補強用のアルミニウムピース１５を当該コーナー部の反客室側に接着もしくはブラインドリベット止めとするとよい。
以上のほか、図２（ａ）・（ｂ）と同様の支持用金具１２等を使用しながら、図２（ｃ）のように、車体部材を介さず直接構体に複合板を取り付けてもよい。
【手続補正８】
【補正対象書類名】明細書
【補正対象項目名】００３４
【補正方法】変更
【補正の内容】
【００３４】
ブラインドリベット１１を用いて行う支持用金具１２への複合板１（１Ａ・１Ｂ等）の固定は、図３（ａ）・（ｂ）の手順で行う。すなわち、
1) まず、表面の平滑な硬い作業台２１上に、客室側表面を下にして複合板１を載せ、さらにその上に支持用金具１２を仮固定する。作業台には、段差２１ａを含む位置決め用の部分を設けておき、それを利用して複合板１等の位置を定めるとよい。
2) 支持用金具１２におけるブラインドリベット装着孔１２ａの上に円筒形のストッパー治具２３を重ね、その上から段付きドリル２２を下向きに送って、複合板１にブラインドリベット用の下穴をあける（図３（ａ）参照）。ストッパー治具２３の穴には、段付きドリル２２の先端から当該段までの所定長さ分だけを通せるため、複合板１の客室側アルミニウム板には達しない深さの下穴をミスなくあけることができる。このようなドリルおよびストッパー治具を使用すると、下穴が客室側の金属板に達することを確実に防止できる。そしてそれにより、客室側の金属板に穴があいたり凹凸ができたりすることがなく、複合板における客室側の表面が平坦に保たれて、安全上及び外観のすぐれた内装構造が実現する。
3) 上記のドリル２２と治具２３とを取り外し、下穴に残る切粉等を取り除いたうえ、その下穴にブラインドリベット１１をセットし、エアーリベッター２４によってそれを打設する（図３（ｂ）参照）。
4) 取付金具と別に、室内設備品取付用の裏地を取付けることも考えられる（図３（ｃ）参照）。接着代用により、作業時間を短縮できる。
【手続補正９】
【補正対象書類名】明細書
【補正対象項目名】００３５
【補正方法】変更
【補正の内容】
【００３５】
車体への複合板の取り付けは、図２や図３のものとは異なる支持用金具を用いて行うこともできる。たとえば図４（ａ）に示す支持用金具３１・３３を使用するなら、複合板１の取り付け作業を簡単化することが可能である。
図４（ａ）の例では、複合板１Ｄ・１Ｅを互いに隣接配置するのに対応づけて、支持用金具３１・３３を以下のように構成している。まず、一方の複合板１Ｄの図示右側の端部付近に固定する支持用金具３１に、複合板１Ｄの固定面３１ａとブラインドリベット１１の装着孔３１ｂ、複合板１Ｄの表面に平行な対向面を有する取付け溝３１ｃ（第１係止部に相当する）、車体部材Ｆ３・Ｆ４への取り付け面３１ｄおよび取付けネジ３２の挿通孔３１ｅを形成している。そして、他方の複合板１Ｅの図示左側の端部付近に固定する他の支持用金具３３には、上記の取付け溝３１ｃに挿入できる部分３３ａ（第２係止部に相当する）を設けている。その複合板１Ｅの他方（図の右側）の端部付近の支持用金具（図示せず）は、複合板１Ｄ用の図示の支持用金具３１と同様にネジで車体に取り付けることとし、同様の取付け溝を形成しておく。つまり、いずれの複合板１も、複合板１Ｅと同様に、図の右方の端部は支持用金具３１と同様の支持用金具にて取り付け、図の左方の端部は支持用金具３３と同様の支持用金具で取り付けることとする。
【手続補正１０】
【補正対象書類名】明細書
【補正対象項目名】００４４
【補正方法】変更
【補正の内容】
【００４４】
図９のように２枚の複合板１Ｄ・１Ｅが隙間をはさんで隣接する部分では端部カバー３４を取り付けることによって、図４（ａ）のような２枚の複合板１Ｄ・１Ｅが隙間をはさんで隣接する構造の部分の代りとしても良い。図９に示すように端部カバー３４は、ブラインドリベット１１によって一方の複合板１Ｄの反客室側の端部付近に、その取付部を固定し、カバー部となる客室側に延びた部分により、双方の複合板１Ｄ・１Ｅの端部付近を覆う。こうした端部カバー３４を使用すると、複合板１Ｄ・１Ｅの端面を客室側から見えないようにし両者間の隙間を隠すことができて、内装構造を外観よく仕上げることができる。３４にはスポンジ等を取付けておき、他方のパネルへ押しつけることで振動によるビビリ防止を図る。